(57)【特許請求の範囲】
【請求項１】
電食防止用モータの自動生産ラインであって、
固定子鉄心搬送ラインおよび固定子鉄心搬送ラインに沿って順に配置された固定子プレス機、固定子枠射出成形機、枠耐電圧検出工具、ターミナル組立機、巻線機、ターミナル溶接装置、ターミナル矯正装置、固定子耐電圧検出装置、固定子真円度接合装置、固定子真円度修正装置を含む固定子組立装置を含み、
固定子鉄心搬送ラインは、Ａ個の固定子鉄心歯を有する帯状固定子鉄心を自動搬送することに用いられ、Ａは３の倍数であり、
固定子プレス機は、帯状固定子鉄心を自動プレス成形するのに用いられ、固定子プレス機の材料排出端は固定子鉄心搬送ラインの材料供給端に接続されており、
固定子枠射出成形機は、帯状固定子鉄心における枠の射出成形に用いられ、各固定子鉄心歯には１つの枠が射出成形されており、
固定子枠射出成形機はマニピュレータを含み、マニピュレータは固定子鉄心搬送ラインの材料供給端に位置する固定子鉄心を掴んで固定子枠射出成形機の型穴に入れることができ、さらに固定子枠射出成形機の型穴に位置する射出成形された固定子鉄心を掴んで固定子枠射出成形機の下流に位置する固定子鉄心搬送ラインに入れることができ、
枠耐電圧検出工具は、昇降板、金属インサート、耐電圧プローブおよび伸縮押え板を含み、昇降板は固定子鉄心搬送ラインの真上に設置されており、昇降板の高さは昇降可能且つ導電可能であり、金属インサートの数はＡ＋１個であり、いずれも昇降板の下面に設置されており、昇降板は耐電圧試験機の正極に接続されており、昇降板が下がる際、金属インサートは順に対応する巻線室に挿着可能であり、耐電圧プローブは固定子鉄心搬送ラインと垂直であり、かつ伸縮可能であり、耐電圧プローブの伸縮端は射出成形された固定子鉄心の金属の外面と接触することができ、耐電圧プローブの他端は耐電圧試験機の負極に接続されており、
ターミナル組立機はターミナル供給ビン、横方向付勢ロッド、縦方向付勢ロッドおよび摺動板を含み、摺動板は固定子鉄心搬送ラインと垂直であり、摺動板は固定子鉄心搬送ラインおよび固定子鉄心搬送ラインと垂直である方向に沿って摺動でき、摺動板は組み立てようとする固定子鉄心を遮断しターミナルの組み立て位置を位置定めすることができ、ターミナル供給ビンは固定子鉄心搬送ラインの上方に設置されて固定子鉄心搬送ラインと垂直であり、ターミナルは一列に整然とターミナル供給ビンに配列され、横方向付勢ロッドはターミナル供給ビンの末端に設置されており、ターミナル供給ビンにおけるターミナルを前へ付勢し、ターミナル供給ビンの先端の底部には材料排出口が設置されており、材料排出口は固定子鉄心搬送ラインにおけるターミナル組立位置に対応し、縦方向付勢ロッドは材料排出口の真上に設置され、材料排出口に位置するターミナルを材料排出口からターミナル組立位置に位置する固定子鉄心枠まで付勢でき、
巻線機は少なくとも２台あり、全ての巻線機は固定子鉄心搬送ラインに沿って並列に設置されており、各巻線機にはいずれも１つの光電子センサーおよび１つの伸縮バッフルが対応するように設置されており、光電子センサーは巻線機に対応する巻線ステーションに巻線しようとする固定子鉄心があるか否かを検出し、伸縮バッフルは巻線しようとする固定子鉄心を制限且つ遮断し、光電子センサーおよび伸縮バッフルに対する制御により、全ての巻線機の同時または交互の巻線を実現し、
ターミナル溶接装置は、はんだポット、反転クランプ板、可動クランプ爪、制限バッフルを含み、反転クランプ板ははんだポットの真上に設置されており、反転クランプ板は巻線後の固定子鉄心をクランプすることができ、１８０°反転することができ、制限バッフルは反転クランプ板の上流および下流の固定子鉄心搬送ラインに設置されており、可動クランプ爪は固定子鉄心搬送ラインの方向に沿って往復摺動することができ、よって巻線後の固定子鉄心を反転クランプ板に載置し、さらにターミナルがはんだ付けされた固定子鉄心を下流の固定子鉄心搬送ラインに載置し、
ターミナル矯正装置は昇降ブロックと、昇降ブロックの下面に固設された矯正ヘッドとを含み、昇降ブロックは固定子鉄心搬送ラインの上方に設置され、高さを昇降することができ、矯正ヘッドの数は各固定子におけるターミナルの数に等しく、各矯正ヘッドはいずれも固定ソケットおよび固定ソケット内部に同軸に嵌設された矯正スリーブを含み、矯正スリーブは円筒形を呈し固定ソケットの内壁面に沿って自由に回転することができ、矯正スリーブの内径はターミナルの外径より大きく、
前記固定子巻線耐電圧検出装置は高さ昇降可能な検出プローブを含み、検出プローブの一端はいずれも耐電圧試験機に接続され、検出プローブの他端はそれぞれ矯正後の固定子鉄心におけるターミナルに接続され、
固定子真円度接合装置はＣ型溝治具、弧形溝治具、中心柱および可動グリッパを含み、中心柱は固定子鉄心搬送ラインの一側に設置され、固定子鉄心搬送ラインの１つの側遮断面を構成し、固定子鉄心搬送ラインのもう１つの側遮断面は伸縮側バッフルであり、高さを昇降することができ、Ｃ型溝治具と弧形溝治具はそれぞれ中心柱の両側に設置され、いずれも固定子鉄心搬送ラインと垂直であり、Ｃ型溝治具と弧形溝治具はいずれも固定子鉄心搬送ラインと垂直である方向に沿って往復摺動することができ、Ｃ型溝治具は伸縮側バッフルの外側に摺動することができ、Ｃ型溝治具と弧形溝治具は接合により中心柱を円心とする接合円を形成することができ、可動グリッパは２本のクランプ可能な指を有し、真円度接合後の固定子鉄心を固定子真円度接合装置に移動させることができ、Ｃ型溝治具と弧形溝治具の中央にはそれぞれ挿入穴が設置され、挿入穴は可動グリッパにおける指に挿着することができ、
固定子真円度修正装置は、伸縮チャック、伸縮位置決め柱、中央位置決めクランプ爪および溶接ガンを含み、伸縮位置決め柱は円柱形を呈し、高さを昇降することができ、伸縮チャックの数はＡ個であり、伸縮位置決め柱の周方向に沿って均一に配置され、各伸縮チャックは伸縮位置決め柱に向ける一側にいずれも固定子鉄心における固定子歯の外面に嵌合する弧面が設置され、中央位置決めクランプ爪は内位置決め面およびクランプ爪を含み、内位置決め面は円柱形を呈し、内位置決め面の外径は固定子鉄心の内径に等しく、内位置決め面の頂部は機械的なアームに接続され、クランプ爪は内位置決め面の底部に設置され、クランプ爪は真円度修正後の固定子鉄心の内穴を係止して移動させ、溶接ガンの高さは調節可能であり、溶接ガンの先端は固定子鉄心の接合シームを指向している、
ことを特徴とする電食防止用モータの自動生産ライン。
【請求項２】
固定子組立装置は、さらに、固定子真円度修正装置の下流に設置され、絶縁昇降板、波形検出プローブ、伸縮押出ロッド、昇降位置決め柱を含む波形検出装置を含み、昇降位置決め柱の高さは調整することができ、昇降位置決め柱の外径は固定子鉄心の内径に等しく、伸縮押出ロッドの数はＡ個であり、昇降位置決め柱の周方向に沿って均一に配置され、伸縮押出ロッドの昇降位置決め柱に向ける一側には刃先の鋭利な刃物が設置され、固定子鉄心が昇降位置決め柱の外周に嵌装された場合、伸縮押出ロッドの刃先の鋭利な刃物は固定子鉄心の底部の枠に嵌合することができ、波形検出プローブの数は各固定子におけるターミナルの数に等しく、昇降位置決め柱の外周に嵌装された固定子鉄心におけるターミナルの位置に対応し、すべての波形検出プローブはいずれも絶縁昇降板に固定され、絶縁昇降板の高さは昇降することができ、波形検出プローブの他端は波形検出器に接続されている、ことを特徴とする、請求項１に記載の電食防止用モータの自動生産ライン。
【請求項３】
固定子組立装置は、さらに、波形検出装置の下流に設置され、回転盤、ハーネス制限部品、ハーネス固定クランプおよびはんだ付け装置を含む配線装置を含み、回転盤は回転することができ、はんだ付け装置は回転盤の一側に固設され、回転盤には周方向に沿って複数の固定子鉄心載置溝および固定子鉄心載置溝の数に等しいハーネス制限部品が設置され、ハーネス制限部品は固定子鉄心載置溝に１対１対応し、ハーネス制限部品にはハーネス固定クランプが設置されている、ことを特徴とする請求項２に記載の電食防止用モータの自動生産ライン。
【請求項４】
ハーネス制限部品はハーネス載置溝またはハーネス巻線ロッドである、ことを特徴とする、請求項３に記載の電食防止用モータの自動生産ライン。
【請求項５】
固定子組立装置は、さらに、配線装置の下流に設置され、２つの射出成形金型および密封スライドレールを含む固定子ハウジング射出成形機を含み、密封スライドレールは固定子ハウジング射出成形機の真下を通過し、２つの射出成形金型は密封スライドレールに摺接される、
ことを特徴とする、請求項３に記載の電食防止用モータの自動生産ライン。
【請求項６】
固定子組立装置は、さらに、密封スライドレールの一側に設置された溶接機を含む、ことを特徴とする、請求項５に記載の電食防止用モータの自動生産ライン。
【請求項７】
さらに、回転子鉄心射出成形機、回転軸圧入装置および回転軸供給装置を含み、回転子鉄心射出成形機および回転軸供給装置はいずれも回転軸圧入装置の供給側に設置され、回転子鉄心射出成形機は回転子内鉄心および回転子外鉄心を一体に射出成形し、回転軸供給装置は同期ベルト、制限バッフルおよび歯車を含み、同期ベルトは回転することができ、同期ベルトと制限バッフルは平行且つ並列に設置され、同期ベルトの外面および制限バッフルにはいずれも噛合可能な歯車が設置され、回転軸圧入装置は昇降押え板、上圧入ヘッド、下台座、圧入高さ検出装置および電磁チャックを含み、電磁チャックは回転子鉄心射出成形機における射出成形された回転子鉄心を吸着して下台座の頂部に載置し、電磁チャックの頂部は機械的なアームに接続され、電磁チャックの底部の中央には伸縮案内ロッドが設置され、下台座の頂部には電磁石が被嵌され、下台座は中空収容室を有し、下台座の底部はスライドレールに摺接され高さは昇降可能であり、下台座は回転軸供給装置の供給位置に摺動することができ、上圧入ヘッドの頂部は昇降押え板に着脱可能に接続され、上圧入ヘッドの底部にはソケットが設置され、ソケットは回転軸の反負荷側の外周に嵌装可能であり、圧入高さ検出装置は昇降押え板の下面に平行且つ並列に設置され底部の高さが等しい２つの高度センサーを含み、そのうち１つの高度センサーは自体から回転軸の頂部までの距離を検出するのに用いられ、もう１つの高度センサーは自体から内回転子の上面までの距離を検出するのに用いられる、ことを特徴とする、請求項１に記載の電食防止用モータの自動生産ライン。
【請求項８】
上圧入ヘッドは中空ソケットであり、ソケット内には位置決めネジが設置され、位置決めネジの外周は上圧入ヘッドの中空室に螺合され、位置決めネジの底部は圧入平面である、ことを特徴とする、請求項７に記載の電食防止用モータの自動生産ライン。
【請求項９】
請求項１〜８のいずれかに記載の電食防止用モータの自動生産ラインにより製造される電食防止用モータであって、
固定子、永久磁石回転子、プラスチックパッキン体、反負荷側エンドカバー、負荷側エンドカバー、金属導線、金属ナットおよび金属ねじを含み、
固定子は永久磁石回転子の外周に同軸に嵌装され、プラスチックパッキン体は固定子の外周に同軸に嵌装されており、
永久磁石は回転軸を含み、反負荷側エンドカバーおよび負荷側エンドカバーはそれぞれ固定子の両側に位置する回転軸に嵌装されており、
負荷側エンドカバーは回転軸に嵌装された端面覆設部および端面覆設部の周りに設置されたエッジ曲げ部を含み、
金属導線は固定子とプラスチックパッキン体との間に設置されており、金属導線の一端は反負荷側エンドカバーに溶接され、金属導線の他端は金属ナットに接続されており、
金属ナットは金属導線に溶接された水平端およびねじ穴が設置されている垂直端を含み、
金属ねじは順に負荷側エンドカバー、垂直端におけるねじ穴および負荷側の固定子端面を貫通しており、金属ナットを負荷側エンドカバーの内側に固定しており、金属ナットの位置が固定された後、金属ナットの垂直端は端面覆設部の内面と接触し、金属ナットの水平端はエッジ曲げ部の内面と接触する、ことを特徴とする電食防止用モータ。
【請求項１０】
永久磁石回転子は、さらに、回転子鉄心および磁性鋼を含み、回転子鉄心は回転軸に被嵌された回転子内鉄心および回転子内鉄心の外周に嵌装された回転子外鉄心を含み、磁性鋼は回転子外鉄心の外周に均一に被嵌され、回転子内鉄心と回転子外鉄心の間には絶縁接続層が充填され、磁性鋼は射出成形プラスチックにより回転子外鉄心と一体構造に射出形成されていることを特徴とする、請求項９に記載の電食防止用モータの自動生産ラインにより製造される電食防止用モータ。
【発明の詳細な説明】
【技術分野】
【０００１】
本発明は永久磁石直流モータに関し、特に電食防止用モータの自動生産ラインおよび電食防止用モータに関する。
【背景技術】
【０００２】
プラスチックパッキン永久磁石ブラシレス直流モータは、家電製品分野における使用量が多くて範囲が広い製品であって、モータは装置全体において非常に重要な部品の一つである。
【０００３】
現在、プラスチックパッキンブラシレス直流モータは、８−２２ＫＨｚ周波数のＰＷＭパルス幅変調方式により、モータ回転の回転速度およびトルクを制御している。モータが高周波である８−２２ＫＨｚのＰＷＭパルス幅変調で回転を制御される際、モータのエンドカバー、固定子鉄心、軸受外輪、軸受ボール、軸受内輪、回転軸の間において誘導電流が発生し、該誘導電流は軸受内のグリースを放電させるため、軸受内外輪におけるボールレースおよびボールの電食が発生し、軸受による軸受騒音が生じ、モータの耐用年数に影響を与える。
【０００４】
現在、従来技術の直流モータの電食防止構造には、主に以下二つの方法を採用している。
【０００５】
方法一としては、ピンによるエンドカバーと固定子鉄心との接続方式により、モータの等価静電容量を減少させ、軸受電圧を下げることで軸受の電食を防止する目的を達している。たとえば、出願番号が２０１５２０４０８６３３．６である中国実用新案登録出願の通りである。しかしながら、上記電食防止構造は、両側の軸受の静電容量をゼロまで減少させることができず、軸受の電食を完全に防止することができない。
【０００６】
方法二としては、導電性テープまたは電導性溶液により前後二つのエンドカバーを接続させ、エンドカバー同士および軸受同士の静電容量を等しくしている。しかしながら、このような方法における導電性テープまたは電導性溶液は効力を失いやすいため、軸受の電食防止の目的を達成できない。
【０００７】
また、従来の永久磁石直流モータの製造において、固定子、回転子はいずれも円形の自動プレス方式を採用しているため、固定子の体積が大きく、押し抜き後の廃棄物が多く、原材料の利用率が低い一方、固定子は枠の射出成形後に巻線する際、巻線空間が小さく、巻線ピンの出入り空間が小さいため、巻線の巻数が少なく、最終的にモータ全体の効率が低下し、モータ効率は５０％未満である。
【０００８】
さらに、従来の永久磁石直流モータの製造過程において、各プロセスは互いに独立しており、プロセス間は手作業による転移、載置が必要であり、自動化レベルが低く、人件費が高い。
【発明の概要】
【発明が解決しようとする課題】
【０００９】
本発明は、上記従来技術における問題点に鑑みてなされたものであって、自動化レベルが高く、人件費を節約でき、さらには、モータ全体の効率が高く、原材料の利用率が高い電食防止用モータの自動生産ラインを提供することを目的とする。
【課題を解決するための手段】
【００１０】
上記の目的と達成するための本発明に係る電食防止用モータの自動生産ラインは、
固定子鉄心搬送ラインおよび固定子鉄心搬送ラインに沿って順に配置された固定子プレス機、固定子枠射出成形機、枠耐電圧検出工具、ターミナル組立機、巻線機、ターミナル溶接装置、ターミナル矯正装置、固定子耐電圧検出装置、固定子真円度接合装置、固定子真円度修正装置を含む固定子組立装置を含む。
【００１１】
固定子鉄心搬送ラインは、Ａ個の固定子鉄心歯を有する帯状固定子鉄心を自動搬送することに用いられ、Ａは３の倍数である。
【００１２】
固定子プレス機は、帯状固定子鉄心を自動プレス成形することに用いられ、固定子プレス機の材料排出端は固定子鉄心搬送ラインの材料供給端に接続されている。
【００１３】
固定子枠射出成形機は、帯状固定子鉄心における枠の射出成形に用いられ、各固定子鉄心歯には１つの枠が射出成形されている。
【００１４】
固定子枠射出成形機はマニピュレータを含み、マニピュレータは固定子鉄心搬送ラインの材料供給端に位置する固定子鉄心を掴んで固定子枠射出成形機の型穴に入れることができ、さらに固定子枠射出成形機の型穴に位置する射出成形された固定子鉄心を掴んで固定子枠射出成形機の下流に位置する固定子鉄心搬送ラインに入れることができる。
【００１５】
枠耐電圧検出工具は、昇降板、金属インサート、耐電圧プローブおよび伸縮押え板を含み、昇降板は固定子鉄心搬送ラインの真上に設置されており、昇降板の高さは昇降可能且つ導電可能であり、金属インサートの数はＡ＋１個であり、いずれも昇降板の下面に設置されており、昇降板は耐電圧試験機の正極に接続されており、昇降板が下がる際、金属インサートは順に対応する巻線室に挿着可能であり、耐電圧プローブは固定子鉄心搬送ラインと垂直であり、かつ伸縮可能であり、耐電圧プローブの伸縮端は射出成形された固定子鉄心の金属の外面と接触することができ、耐電圧プローブの他端は耐電圧試験機の負極に接続されている。
【００１６】
ターミナル組立機はターミナル供給ビン、横方向付勢ロッド、縦方向付勢ロッドおよび摺動板を含み、摺動板は固定子鉄心搬送ラインと垂直であり、摺動板は固定子鉄心搬送ラインおよび固定子鉄心搬送ラインと垂直である方向に沿って摺動でき、摺動板は組み立てようとする固定子鉄心を遮断しターミナルの組み立て位置を位置定めすることができ、ターミナル供給ビンは固定子鉄心搬送ラインの上方に設置されて固定子鉄心搬送ラインと垂直であり、ターミナルは一列に整然とターミナル供給ビンに配列され、横方向付勢ロッドはターミナル供給ビンの末端に設置されており、ターミナル供給ビンにおけるターミナルを前へ付勢し、ターミナル供給ビンの先端の底部には材料排出口が設置されており、材料排出口は固定子鉄心搬送ラインにおけるターミナル組立位置に対応し、縦方向付勢ロッドは材料排出口の真上に設置されており、材料排出口に位置するターミナルを材料排出口からターミナル組立位置に位置する固定子鉄心枠まで付勢できる。
【００１７】
巻線機は少なくとも２台あり、全ての巻線機は固定子鉄心搬送ラインに沿って並列に設置されており、各巻線機にはいずれも１つの光電子センサーおよび１つの伸縮バッフルが対応するように設置されており、光電子センサーは巻線機に対応する巻線ステーションに巻線しようとする固定子鉄心があるか否かを検出し、伸縮バッフルは巻線しようとする固定子鉄心を制限且つ遮断し、光電子センサーおよび伸縮バッフルに対する制御により、全ての巻線機の同時または交互の巻線を実現する。
【００１８】
ターミナル溶接装置は、はんだポット、反転クランプ板、可動クランプ爪、制限バッフルを含み、反転クランプ板ははんだポットの真上に設置されており、反転クランプ板は巻線後の固定子鉄心をクランプすることができ、１８０°反転することができ、制限バッフルは反転クランプ板の上流および下流の固定子鉄心搬送ラインに設置されており、可動クランプ爪は固定子鉄心搬送ラインの方向に沿って往復摺動することができ、よって巻線後の固定子鉄心を反転クランプ板に載置し、さらにターミナルがはんだ付けされた固定子鉄心を下流の固定子鉄心搬送ラインに載置する。
【００１９】
ターミナル矯正装置は昇降ブロックと、昇降ブロックの下面に固設された矯正ヘッドとを含み、昇降ブロックは固定子鉄心搬送ラインの上方に設置され、高さを昇降することができ、矯正ヘッドの数は各固定子におけるターミナルの数に等しく、各矯正ヘッドはいずれも固定ソケットおよび固定ソケット内部に同軸に嵌設された矯正スリーブを含み、矯正スリーブは円筒形を呈し固定ソケットの内壁面に沿って自由に回転することができ、矯正スリーブの内径はターミナルの外径より大きい。
【００２０】
固定子巻線耐電圧検出装置は高さ昇降可能な検出プローブを含み、検出プローブの一端はいずれも耐電圧試験機に接続され、検出プローブの他端はそれぞれ矯正後の固定子鉄心におけるターミナルに接続されている。
【００２１】
固定子真円度接合装置はＣ型溝治具、弧形溝治具、中心柱および可動グリッパを含み、中心柱は固定子鉄心搬送ラインの一側に設置され、固定子鉄心搬送ラインの１つの側遮断面を構成し、固定子鉄心搬送ラインのもう１つの側遮断面は伸縮側バッフルであり、高さを昇降することができ、Ｃ型溝治具と弧形溝治具はそれぞれ中心柱の両側に設置され、いずれも固定子鉄心搬送ラインと垂直であり、Ｃ型溝治具と弧形溝治具はいずれも固定子鉄心搬送ラインと垂直である方向に沿って往復摺動することができ、Ｃ型溝治具は伸縮側バッフルの外側に摺動することができ、Ｃ型溝治具と弧形溝治具は接合により中心柱を円心とする接合円を形成することができ、可動グリッパは２本のクランプ可能な指を有し、真円度接合後の固定子鉄心を固定子真円度接合装置に移動させることができ、Ｃ型溝治具と弧形溝治具の中央にはそれぞれ挿入穴が設置され、挿入穴は可動グリッパにおける指に挿着することができる。
【００２２】
固定子真円度修正装置は、伸縮チャック、伸縮位置決め柱、中央位置決めクランプ爪および溶接ガンを含み、伸縮位置決め柱は円柱形を呈し、高さを昇降することができ、伸縮チャックの数はＡ個であり、伸縮位置決め柱の周方向に沿って均一に配置され、各伸縮チャックは伸縮位置決め柱に向ける一側にいずれも固定子鉄心における固定子歯の外面に嵌合する弧面が設置され、中央位置決めクランプ爪は内位置決め面およびクランプ爪を含み、内位置決め面は円柱形を呈し、内位置決め面の外径は固定子鉄心の内径に等しく、内位置決め面の頂部は機械的なアームに接続され、クランプ爪は内位置決め面の底部に設置され、クランプ爪は真円度修正後の固定子鉄心の内穴を係止して移動させ、溶接ガンの高さは調節可能であり、溶接ガンの先端は固定子鉄心の接合シームを指向している。
【００２３】
固定子組立装置は、さらに、固定子真円度修正装置の下流に設置され、絶縁昇降板、波形検出プローブ、伸縮押出ロッド、昇降位置決め柱を含む波形検出装置を含み、昇降位置決め柱の高さは調整することができ、昇降位置決め柱の外径は固定子鉄心の内径に等しく、伸縮押出ロッドの数はＡ個であり、昇降位置決め柱の周方向に沿って均一に配置され、伸縮押出ロッドの昇降位置決め柱に向ける一側には刃先の鋭利な刃物が設置され、固定子鉄心が昇降位置決め柱の外周に嵌装された場合、伸縮押出ロッドの刃先の鋭利な刃物は固定子鉄心の底部の枠に嵌合することができ、波形検出プローブの数は各固定子におけるターミナルの数に等しく、昇降位置決め柱の外周に嵌装された固定子鉄心におけるターミナルの位置に対応し、すべての波形検出プローブはいずれも絶縁昇降板に固定され、絶縁昇降板の高さは昇降することができ、波形検出プローブの他端は波形検出器に接続されている。
【００２４】
固定子組立装置は、さらに、波形検出装置の下流に設置され、回転盤、ハーネス制限部品、ハーネス固定クランプおよびはんだ付け装置を含む配線装置を含み、回転盤は回転することができ、はんだ付け装置は回転盤の一側に固設され、回転盤には周方向に沿って複数の固定子鉄心載置溝および固定子鉄心載置溝の数に等しいハーネス制限部品が設置され、ハーネス制限部品は固定子鉄心載置溝に１対１対応し、ハーネス制限部品にはハーネス固定クランプが設置されている。
【００２５】
ハーネス制限部品はハーネス載置溝またはハーネス巻線ロッドである。
【００２６】
固定子組立装置は、さらに、配線装置の下流に設置され、２つの射出成形金型および密封スライドレールを含む固定子ハウジング射出成形機を含み、密封スライドレールは固定子ハウジング射出成形機の真下を通過し、２つの射出成形金型は密封スライドレールに摺接されている。
【００２７】
固定子組立装置は、さらに、密封スライドレールの一側に設置された溶接機を含む。
【００２８】
さらに、回転子鉄心射出成形機、回転軸圧入装置および回転軸供給装置を含み、回転子鉄心射出成形機および回転軸供給装置はいずれも回転軸圧入装置の供給側に設置され、回転子鉄心射出成形機は回転子内鉄心および回転子外鉄心を一体に射出成形し、回転軸供給装置は同期ベルト、制限バッフルおよび歯車を含み、同期ベルトは回転することができ、同期ベルトと制限バッフルは平行且つ並列に設置され、同期ベルトの外面および制限バッフルにはいずれも噛合可能な歯車が設置され、回転軸圧入装置は昇降押え板、上圧入ヘッド、下台座、圧入高さ検出装置および電磁チャックを含み、電磁チャックは回転子鉄心射出成形機における射出成形された回転子鉄心を吸着して下台座の頂部に載置し、電磁チャックの頂部は機械的なアームに接続され、電磁チャックの底部の中央には伸縮案内ロッドが設置され、下台座の頂部には電磁石が被嵌され、下台座は中空収容室を有し、下台座の底部はスライドレールに摺接され高さは昇降可能であり、下台座は回転軸供給装置の供給位置に摺動することができ、上圧入ヘッドの頂部は昇降押え板に着脱可能に接続され、上圧入ヘッドの底部にはソケットが設置され、ソケットは回転軸の反負荷側の外周に嵌装可能であり、圧入高さ検出装置は昇降押え板の下面に平行且つ並列に設置され底部の高さが等しい２つの高度センサーを含み、そのうち１つの高度センサーは自体から回転軸の頂部までの距離を検出するのに用いられ、もう１つの高度センサーは自体から内回転子の上面までの距離を検出するのに用いられる。
【００２９】
上圧入ヘッドは中空ソケットであり、ソケット内には位置決めネジが設置され、位置決めネジの外周は上圧入ヘッドの中空室に螺合され、位置決めネジの底部は圧入平面である。
【００３０】
上記の目的と達成するための本発明に係る電食防止用モータの自動生産ラインにより製造される電食防止用モータは、固定子、永久磁石回転子、プラスチックパッキン体、反負荷側エンドカバー、負荷側エンドカバー、金属導線、金属ナットおよび金属ねじを含む。
【００３１】
固定子は永久磁石回転子の外周に同軸に嵌装され、プラスチックパッキン体は固定子の外周に同軸に嵌装されている。
【００３２】
永久磁石は回転軸を含み、反負荷側エンドカバーおよび負荷側エンドカバーはそれぞれ固定子の両側に位置する回転軸に嵌装されている。
【００３３】
負荷側エンドカバーは回転軸に嵌装された端面覆設部および端面覆設部の周りに設置されたエッジ曲げ部を含む。
【００３４】
金属導線は固定子とプラスチックパッキン体との間に設置されており、金属導線の一端は反負荷側エンドカバーに溶接されており、金属導線の他端は金属ナットに接続されている。
【００３５】
金属ナットは金属導線に溶接された水平端およびねじ穴が設置されている垂直端を含む。
【００３６】
金属ねじは順に負荷側エンドカバー、垂直端におけるねじ穴および負荷側の固定子端面を貫通しており、金属ナットを負荷側エンドカバーの内側に固定しており、金属ナットの位置が固定された後、金属ナットの垂直端は端面覆設部の内面と接触し、金属ナットの水平端はエッジ曲げ部の内面と接触している。
【００３７】
永久磁石回転子は、さらに、回転子鉄心および磁性鋼を含み、回転子鉄心は回転軸に被嵌された回転子内鉄心および回転子内鉄心の外周に嵌装された回転子外鉄心を含み、磁性鋼は回転子外鉄心の外周に均一に被嵌され、回転子内鉄心と回転子外鉄心の間には絶縁接続層が充填され、磁性鋼は射出成形プラスチックにより回転子外鉄心と一体構造に射出形成されている。
【発明の効果】
【００３８】
本発明は以下のような有益な効果を奏する。
本発明によれば、金属導線を通じて両側のエンドカバーを接続し、金属導線はプラスチックパッキン体に内蔵され、安全性が高い。同時に、金属導線は両側のエンドカバーに確実に電気的に接続され、軸受の電食防止性能に優れる。電食防止用モータにおけるモータを自動で組み立てることができ、自動化レベルが高く、人件費を削減し、また、モータ全体の効率が高く、原材料の利用率が高い。
【図面の簡単な説明】
【００３９】
【図１】本発明の電食防止用モータの自動生産ラインの構造を示す図である。
【図２】帯状固定子鉄心およびマニピュレータの構造を示す図である。
【図３】耐電圧検出工具の構造を示す図である。
【図４】ターミナル組立機の構造を示す図である。
【図５】ターミナル溶接装置の構造を示す図である。
【図６】ターミナル矯正装置の構造を示す図である。
【図７】ターミナル矯正装置における矯正ヘッドの矯正原理を示す図である。
【図８】固定子真円度接合装置の構造を示す図である。
【図９】固定子真円度修正装置の構造を示す図である。
【図１０】波形検出装置の構造を示す図である。
【図１１】配線装置の構造を示す図である。
【図１２】固定子ハウジング射出成形機の構造を示す図である。
【図１３】回転軸供給装置および回転軸圧入装置の構造を示す図である。
【図１４】本実用新案の両側のエンドカバーの等電位の永久磁石直流モータの構造を示す図である。
【図１５】金属導線および反負荷側エンドカバーと負荷側エンドカバーの接続関係を示す図である。
【図１６】回転子鉄心および磁性鋼の構造を示す図である。
【図１７】金属ナットにおける水平端の別の実施例を示す図である。
【発明を実施するための形態】
【００４０】
以下、図面および具体的な好ましい実施形態に合わせて、本発明についてさらに詳細に説明する。
図１４〜図１７に示すように、電食防止用モータは、固定子４、永久磁石回転子、プラスチックパッキン体５、反負荷側エンドカバー１、反負荷側軸受２、負荷側エンドカバー８、負荷側軸受１０、金属導線３、金属ナット６および金属ねじ７を含む。
【００４１】
固定子は永久磁石回転子の外周に同軸に嵌装され、プラスチックパッキン体は固定子の外周に同軸に嵌装されている。永久磁石回転子は、回転軸９、回転子鉄心および磁性鋼１３を含む。回転子鉄心は、回転軸に嵌装された回転子内鉄心１２および回転子内鉄心の外周に嵌設された回転子外鉄心１１を含む。
【００４２】
回転子内鉄心と回転子外鉄心との間には間隙が設置されていることが好ましく、間隙内には絶縁接続層１４が充填されている。絶縁接続層は射出成形ゴムであることが好ましい。絶縁接続層を設置することにより、電流回路を遮断することができ、電流が回転軸を通じて軸受へ流れることを防止することによって、軸受の電食を防止することができる。また、振動と騒音を減らすこともできる。
【００４３】
磁性鋼は回転子外鉄心の外周に均一に被嵌され、磁性鋼は射出成形プラスチックを通じて回転子外鉄心と一体構造に射出成形されることが好ましい。
【００４４】
反負荷側エンドカバーおよび反負荷側軸受は反負荷側に位置する回転軸に嵌装され、負荷側エンドカバーおよび負荷側軸受は負荷側に位置する回転軸に嵌装される。
【００４５】
図１５に示すように、負荷側エンドカバーは回転軸に嵌装された端面覆設部８１および端面覆設部の周りに設置されたエッジ曲げ部８２を含む。
【００４６】
金属導線は固定子とプラスチックパッキン体との間に設置され、金属導線は耐温度性金属導線であることが好ましい。
【００４７】
金属導線の一端は反負荷側エンドカバーに溶接され、突き合わせ溶接が好ましい。金属導線の他端は金属ナットに接続される。
【００４８】
金属ナットはＬ型またはＵ型を呈することが好ましく、本発明において、Ｌ型を選択する。
【００４９】
金属ナットは金属導線に溶接された水平端６１およびねじ穴６２１が設置された垂直端６２を含む。
【００５０】
金属ねじは順に負荷側エンドカバー、垂直端におけるねじ穴および負荷側の固定子端面を貫通し、金属ナットを負荷側エンドカバーの内側に固定する。
【００５１】
上記水平端６１は２つの好ましい実施例を有することが好ましい。
【００５２】
（実施例１）
図１５に示すように、水平端は垂直端と一体に設置された１つの金属固定板である。金属ナットの位置が固定された後、金属ナットの垂直端は端面覆設部の内面と接触し、金属ナットの水平端はエッジ曲げ部の内面と接触する。
【００５３】
（実施例２）
図１７に示すように、水平端は固定部６１１、金属ばね６１２および金属シート６１３を含むことが好ましく、金属シートは固定部とエッジ曲げ部の間に設置され、金属シートは金属ばねを通じて固定部に接続され、固定部と垂直端は一体に設置され、金属導線は固定部または金属シートに溶接される。
【００５４】
金属ナットの位置が固定された後、金属シートは金属ばねの弾力の作用で、エッジ曲げ部の内面に圧接する。
【００５５】
さらに、上記金属ナットは銅材料で製造されてなることが好ましい。
【００５６】
さらに、金属ナットは負荷側の固定子端面に被嵌され、金属ナットの垂直端の外面は負荷側の固定子端面と同一平面である。
【００５７】
さらに、金属ねじは止めねじであることが好ましい。
【００５８】
電食防止用モータの自動生産ラインは、固定子組立装置、回転子鉄心射出成形機、回転軸圧入装置２２０および回転軸供給装置２３０を含む。
【００５９】
図１に示すように、固定子組立装置は、固定子鉄心搬送ライン１００および固定子鉄心搬送ラインに沿って順に配置された固定子プレス機１０１、固定子枠射出成形機１０５、枠耐電圧検出工具１１０、ターミナル組立機１２０、巻線機１３０、ターミナル溶接装置１４０、ターミナル矯正装置１５０、固定子耐電圧検出装置１５９、固定子真円度接合装置１６０、固定子真円度修正装置１７０、波形検出装置１８０、配線装置１８５および固定子ハウジング射出成形機１９０を含む。
【００６０】
固定子鉄心搬送ラインは、３の倍数であるＡ個の固定子鉄心歯を有する帯状固定子鉄心１０２の自動搬送に用いられる。固定子鉄心搬送ラインは帯状搬送ベルトであることが好ましく、帯状搬送ベルトの両側にはバッフルが設置され、帯状凹溝を形成することにより、帯状固定子鉄心の自動搬送を制限する。
【００６１】
本発明の電食防止用モータは、８極のモータであることが好ましく、帯状固定子鉄心は１２個の固定子鉄心歯を有することが好ましい。
【００６２】
固定子プレス機は帯状固定子鉄心を自動でプレス成形するのに用いられ、固定子プレス機は従来技術であり、プレス金型は帯状金型に交換され、固定子プレス機の材料排出端は固定子鉄心搬送ラインの材料供給端に突合せることにより、帯状固定子鉄心を自動で本発明の固定子鉄心搬送ラインに搬送する。
【００６３】
固定子枠射出成形機は帯状固定子鉄心における枠１０３を射出成形するのに用いられ、固定子枠射出成形機も従来技術であり、各固定子鉄心歯には枠が射出成形され、隣接する２つの枠の間の巻線室１０４は、図２に示すように、巻線室の面積が大きく、巻線室の溝形を最大化し、巻線を最も多くすることができる。
【００６４】
本発明は固定子鉄心を従来の円形打抜方式から帯状打抜方式に変更し、原材料の利用率を大幅に向上させ、製造コストを削減する一方、隣接する２つの枠の間の巻線室の面積が大きいため、巻線しやすいとともに巻線の巻数を増加させることができ、巻線の巻数を増加させることにより、モータ全体の効率を元の５０％から７０％以上に向上させることができる。
【００６５】
固定子枠射出成形機は、マニピュレータを有し、マニピュレータは固定子鉄心搬送ラインの材料供給端に位置する固定子鉄心を掴んで固定子枠射出成形機の型穴に入れることができ、さらに固定子枠射出成形機の型穴に位置する既に射出成形された固定子鉄心を掴んで固定子枠射出成形機の下流に位置する固定子鉄心搬送ラインに入れることができる。マニピュレータは機械的なアームに接続されることが好ましく、マニピュレータは図２に示すような２本のクランプ指であることが好ましいが、図５の示すような可動クランプ爪の構造などを採用することもできる。
【００６６】
図３に示すように、枠耐電圧検出工具は昇降板１１１、金属インサート１１２、耐電圧プローブ１１３及び伸縮押え板１１４を含む。昇降板は、固定子鉄心搬送ラインの真上に設置され、昇降板の高さは昇降でき、導電可能であり、金属インサートの数はＡ＋１個であり、いずれも昇降板の下面に設置され、昇降板は耐電圧試験機１１５の正極に接続される。
【００６７】
本発明において、金属インサートの数は１３個であり、中央に位置する１１個の金属インサートは両側に位置する金属インサートよりも大きい。
【００６８】
代替案として、隣接する金属インサートの間に電気的に直列接続された後、耐電圧試験機の正極に直接接続されることも、本発明の保護範囲に属する。
【００６９】
昇降板が下降する際、金属インサートは順に対応する巻線室に挿着されることができ、耐電圧プローブは固定子鉄心搬送ラインと垂直で、伸縮可能であり、耐電圧プローブの伸縮端は射出成形された固定子鉄心の金属の外面と接触し、耐電圧プローブの他端は耐電圧試験機の負極と接続することができる。
【００７０】
枠耐電圧検出工具には光電子センサおよび上流に位置する制限バッフルが設置されることが好ましい。光電子センサにより固定子鉄心が該ステーションに入ったことを検出した際、制限バッフルは固定子鉄心を遮断し、伸縮押え板は延びて、固定子鉄心を圧着固定し、金属インサートが各巻線室に挿入されるとともに、耐電圧プローブは射出成形された固定子鉄心の金属外面と接触し、耐電圧検出を行う。検出が完了した後、金属インサート、伸縮押え板および耐電圧プローブは復帰し、制限バッフルが開き、耐電圧検出に合格した場合、前へ流れ続け、耐電圧検出に合格していない場合、下流に位置する伸縮付勢ロッドにより固定子鉄心搬送ラインから離れるように押し付ける。
【００７１】
図４に示すように、ターミナル組立機はターミナル供給ビン１２１、横方向付勢ロッド１２２、縦方向付勢ロッド１２３、摺動板１２５を含む。
【００７２】
摺動板は、固定子鉄心搬送ラインと垂直であり、摺動板は固定子鉄心搬送ライン及び固定子鉄心搬送ラインと垂直である方向に沿って摺動し、即ち、摺動板は２方向における自由度を有する。
【００７３】
２方向における自由度に対する制御により、摺動板は組み立てようとする固定子鉄心を遮断しターミナル１２４の組み立て位置を位置決めすることができる。
【００７４】
具体的には、ターミナル組立機における光電子センサにより固定子鉄心（ワークとも呼ばれる）が該プロセスに入ったことを検出した場合、摺動板は固定子鉄心搬送ラインの垂直方向に沿って摺動し、即ち、伸び、ワークを遮断する。さらに、ターミナル組立機の上流にもバッフルが設置されていることが好ましく、ターミナル組立機のステーションにワークがある場合、次のワークが入ることを遮断する。
【００７５】
続いて、ターミナルの挿設位置要求に基づき、摺動板は移動することによりワークを異なる距離に移動するように駆動し、全てのターミナルの組み立てを実現する。
【００７６】
本発明において、各固定子鉄心枠には４本のターミナルを挿設しなければならないため、摺動板を前へ４回移動しなければならず、４本のターミナルの挿設が完了した後、元の位置に復元し、上流のバッフルが開き、次のワークのターミナルの組み立てを行う。
【００７７】
ターミナル供給ビンは固定子鉄心搬送ラインの上方に設置され固定子鉄心搬送ラインと垂直であり、ターミナルは整然とターミナル供給ビンに１列に配列され、横方向付勢ロッドはターミナル材料供給ビンの末端に設置され、ターミナル供給ビンにおけるターミナルを前へ付勢する。
【００７８】
ターミナル材料供給ビンの先端の底部には材料排出口が設置され、材料排出口は固定子鉄心搬送ラインにおけるターミナルの組み立て位置に対応し、縦方向付勢ロッドは材料排出口の真上に設置され、材料排出口に位置するターミナルを材料排出口からターミナル組み立て位置における固定子鉄心の枠へ付勢する。
【００７９】
巻線機は少なくとも２台があり、全ての巻線機は固定子鉄心搬送ラインに沿って並列に設置され、各巻線機にはいずれも１つの光電子センサおよび１つの伸縮バッフルが対応するように設置され、光電子センサは巻線機に対応する巻線ステーションに巻線しようとする固定子鉄心があるか否かを検出し、伸縮バッフルは巻線しようとする固定子鉄心を制限し遮断するのに用いられ、光電子センサおよび伸縮バッフルを制御することにより、全ての巻線機の同時または交互の巻線を実現する。
【００８０】
本発明における巻線機は３台であることが好ましく、３台の巻線機は同時に巻線することが好ましいため、巻線速度を向上させ、後続の待機時間を短縮する。
【００８１】
巻線する際、光電子センサおよび伸縮バッフルによる遮断制御により、ワークの自動巻線を実現する。例えば、下流に位置する光電子センサによりワークが入ったことを検出した場合、下流の伸縮バッフルは伸びて遮断し、その後、下流の光電子センサの指示灯が消灯し、巻線過程が始まる。
【００８２】
下流の光電子センサの指示灯が消灯すると同時に、上流の光電子センサが動作し、上流の巻線機にワークが入った場合、上流の伸縮バッフルは伸びて遮断し、その後、上流の光電子センサの指示灯が消灯し、巻線過程が始まる。
【００８３】
順に循環し、全ての巻線機の同時または交互の巻線を実現する。本発明において、好ましくは、毎回３つのワークが同時に３台の巻線機に入って巻線するように制御し、巻線が完了した後、次の３つのワークの自動巻線を行う。
【００８４】
本発明において、３台の巻線機の上流および下流にはそれぞれ１つの制限バッフルが設置されることが好ましく、制限バッフルは自動搬送ラインにおいて、一般的な部品に属し、後続のプロセスの一部の説明を省略する。
【００８５】
図５に示すように、ターミナル溶接装置は、はんだポット１４１、反転クランプ板１４２、可動クランプ爪１４３および制限バッフル１４５を含む。
【００８６】
反転クランプ板ははんだポットの真上に設置され、反転クランプ板は巻線後の固定子鉄心をクランプすることができ、１８０°反転することができる。反転クランプ板が通常通りに水平状態であり、ワークが反転クランプ板に入った後、まずワークをクランプし、続いて、下へ１８０°反転させ、ワークのターミナルに対するはんだ付けを行わせる。溶接が完了した後、反転クランプ板は再び上へ１８０°反転し、クランプ状態から解除され、可動クランプ爪により掴まれることを待機する。
【００８７】
反転クランプ板の構造は、好ましくは、図５に示すように、頂部が開口する引き出し筐体であり、引き出し筐体の底部は機械的なアームに接続されることが好ましく、１８０°の回転を実現する。
【００８８】
引き出し筐体は固定子鉄心載置溝を有し、鉄心載置溝の両側の２つの長側板（即ち、固定子鉄心搬送ラインの搬送方向に沿う）にはいずれもクランプ切り込み１４４が設置されることが好ましく、可動クランプ爪による固定およびクランプに便利である。
【００８９】
２つの長側板にはいずれもクランプヘッド（図示せず）が設置されることが好ましく、クランプヘッドの一端は対応する長側板から貫通しシリンダに接続され、伸縮可能であり、クランプヘッドの他端（即ち、長側板の内側端）は帯状固定子鉄心をクランプすることができる。
【００９０】
制限バッフルは反転クランプ板の上流および下流の固定子鉄心搬送ラインに設置され、上流および下流の固定子鉄心搬送ラインにはいずれも図５に示すようなクランプ切り込み１４４が設置され、可動クランプ爪による固定およびクランプに便利である。
【００９１】
可動クランプ爪は固定子鉄心搬送ラインの方向に沿って往復摺動することができ、よって巻線後の固定子鉄心を反転クランプ板に載置し、さらにはんだ付け後の固定子鉄心を下流の固定子鉄心搬送ラインに載置する。
【００９２】
可動クランプ爪は、図５に示すように、頂板および頂板の下面に設置されたクランプ板を含み、クランプ板は固定子鉄心搬送ラインと垂直である方向に沿って往復摺動することができるため、帯状固定子鉄心をクランプし固定する。
【００９３】
図６に示すように、ターミナル矯正装置は昇降ブロック１５１および昇降ブロックの下面に固設された矯正ヘッドを含む。
【００９４】
昇降ブロックは固定子鉄心搬送ラインの上方に設置され、高さを昇降するように調整することができ、矯正ヘッドの数は各固定子におけるターミナル数に等しく、４つであることが好ましい。
【００９５】
図７に示すように、各矯正ヘッドはいずれも固定ソケット１５２および固定ソケットの内部に同軸に嵌設された矯正スリーブ１５３を含み、矯正スリーブは円筒形を呈し固定ソケットの内壁面に沿って自由に回転することができ、矯正スリーブの内径はターミナルの外径より大きい。
【００９６】
ターミナル矯正装置における光電子センサによりワークが該ステーションに入ったことを検出した場合、昇降ブロックは矯正ヘッドを高さが下がるように駆動し、矯正スリーブは対応するターミナルの上端に嵌装され、矯正ヘッドの下降に伴って、矯正スリーブは自由に回転し、ターミナルに対する矯正を実現し、ターミナルを垂直状態にし、歪みによる変形を防止する。
【００９７】
固定子巻線耐電圧検出装置は高さの昇降可能な検出プローブを含み、検出プローブの一端はいずれも耐電圧試験機に接続され、検出プローブの他端はそれぞれ矯正後の固定子鉄心におけるターミナルに接続される。
【００９８】
固定子巻線耐電圧検出装置における光電子センサによりワークが入ったことを検出した後、制限バッフルにより遮断し、検出プローブの高さが下がり、ターミナルに嵌合して、耐電圧検出を行う。固定子巻線耐電圧検出装置の具体的な検出方法は従来技術であり、ここで繰り返した説明を省略する。
【００９９】
図８に示すように、固定子真円度接合装置は、Ｃ型溝治具１６１、弧形溝治具１６２、中心柱１６３および可動グリッパ１６４を含む。
【０１００】
中心柱は固定子鉄心搬送ラインの一側に設置され、固定子鉄心搬送ラインの１つの側遮断面を構成し、固定子鉄心搬送ラインの別の側遮断面は伸縮側バッフル１６５であり、高さは昇降可能である。
【０１０１】
Ｃ型溝治具と弧形溝治具はそれぞれ中心柱の両側に設置され、いずれも固定子鉄心搬送ラインと垂直であり、Ｃ型溝治具と弧形溝治具はいずれも固定子鉄心搬送ラインと垂直である方向に沿って往復摺動することができ、Ｃ型溝治具は伸縮側バッフル板の外側に摺動することができる。Ｃ型溝治具と弧形溝治具は接合により中心柱を円心とする接合円を形成することができ、接合円の直径は固定子鉄心の外径に等しいことが好ましい。
【０１０２】
可動グリッパはクランプ可能な２本の指を有し、真円度接合後の固定子鉄心を固定子真円度修正装置に移動することができ、Ｃ型溝治具と弧形溝治具の中央にはそれぞれ挿入穴が設置され、挿入穴は可動グリッパにおける指に挿着することができる。
【０１０３】
真円度接合方法として、Ｃ型溝治具は伸縮側バッフルの外側に摺動し、伸縮側バッフルの高さを上げ、ワークが入った後、制限バッフルにより遮断してから、伸縮側バッフルの高さを固定子鉄心搬送ラインの下方に下げ、Ｃ型溝治具は中心柱へ摺動し、Ｃ型溝治具の摺動に従って、ワークも中心柱を中心として、中心柱へ曲げられ、Ｕ型を形成し、その後、弧形溝治具は中心柱の方向へ摺動し、弧形溝治具による遮断および位置決めにより、ワークは円形に曲げられる。その際、ワークの接合シームは弧形溝治具における挿入穴の位置に対応する。最後に、可動グリッパの高さが下がり、挿入穴に挿入され、真円度接合後のワークを固定子真円度修正装置に移動させる。
【０１０４】
図９に示すように、固定子真円度修正装置は伸縮チャック１７１、伸縮位置決め柱１７２、中央位置決めクランプ爪１７３および溶接ガン１７４を含む。
【０１０５】
伸縮位置決め柱は円柱形を呈し高さが昇降可能であり、伸縮チャックの数はＡ個であり、１つであることが好ましく、伸縮位置決め柱の周方向に沿って均一に配置されている。
【０１０６】
各伸縮チャックの伸縮位置決め柱に向ける一側にはいずれも固定子鉄心における固定子歯の外面に嵌合する弧面が設置されている。
【０１０７】
中央位置決めクランプ爪は内位置決め面１７３１およびクランプ爪を含み、内位置決め面は円柱形を呈し、内位置決め面の外径は固定子鉄心の内径に等しく、内位置決め面の頂部は機械的なアームに接続され、クランプ爪は内位置決め面の底部に設置され、クランプ爪は真円度修正後の固定子鉄心を内穴に係止して移行させることができ、溶接ガンの高さは昇降することができ、溶接ガンの先端は固定子鉄心の接合シームを指向している。
【０１０８】
真円度修正方法は具体的に以下のようなステップを含むことが好ましい。
【０１０９】
（ステップ１）
伸縮位置決め柱をまず上げ、可動グリッパにより真円度の接合が完了したワークを入れるまで待機し、ワークを伸縮位置決め柱の外周に入れた場合、光電子センサによりワークを検出する。
【０１１０】
（ステップ２）
中央位置決めクランプ爪の高さを下げ、クランプ爪が伸縮位置決め柱と接触した後、伸縮位置決め柱を台座面の下方に下げ、中央位置決めクランプ爪の高さを下げ続け、内位置決め面をワーク内面と接触させる。
【０１１１】
（ステップ３）
伸縮チャックを伸ばしてワークの外面を位置決めする。伸縮チャックの伸びる順番は、図９に示された（１）〜（６）の順番に従って行う。即ち、まず接合シームを離れる２つの伸縮チャックが同時に伸びて、ワークの外金属面に密着し、続いて、伸びた２つの伸縮チャックに隣接する２つの伸縮チャックが再び同時に伸びて、ワークの外金属面に密着し、さらに続いて、接合シームに隣接する２つの伸縮チャックが同時に伸びて、ワークの外金属面に密着し、その後、その他の伸縮チャックが対称する方式で接合シームを離れるところから接合シームの方向へ徐々に伸び位置決めし始める。
【０１１２】
ステップ３において、溶接ガンは上から下へ、接合シームに対しレーザーによる溶接を行う。
【０１１３】
上記真円度修正方法は、固定子鉄心真円度修正の真円度をより正確にし、接合された後、波形検出合格率が高い。図１０に示すように、波形検出装置は絶縁昇降板１８１、波形検出プローブ１８２、伸縮押出ロッド１８３および昇降位置決め柱１８４を含む。
【０１１４】
昇降位置決め柱の高さは昇降可能であり、昇降位置決め柱の外径は固定子鉄心の内径に等しく、伸縮押出ロッドの数はＡ個であり、即ち１２個であり、昇降位置決め柱の周方向に沿って均一に配置され、伸縮押出ロッドの昇降位置決め柱に向ける一側には刃先の鋭利な刃物が設置されている。
【０１１５】
固定子鉄心が昇降位置決め柱の外周に嵌装される場合、伸縮押出ロッドの刃先の鋭利な刃物は固定子鉄心の底部の枠のシームに嵌合することができ、頂部の高さは固定子鉄心の金属の下面より低く、固定子鉄心の金属面と接触しない。
【０１１６】
波形検出プローブの数は各固定子におけるターミナルの数に等しく、即ち４つであり、昇降位置決め柱の外周に嵌装された固定子鉄心におけるターミナルの位置に対応し、全ての波形検出プローブはいずれも絶縁昇降板に固定され、絶縁昇降板の高さは昇降可能であり、波形検出プローブの他端は波形検出装置に接続されている。
【０１１７】
検出方法は固定子巻線耐電圧検出方法と同じであり、ここで繰り返した説明を省略する。
【０１１８】
図１１に示すように、配線装置は波形検出装置の下流に設置され、配線装置は回転盤１８６、ハーネス制限部品１８７、ハーネス固定クランプ１８８およびはんだ付け装置１８９を含む。
【０１１９】
回転盤は回転することができ、はんだ付け装置は回転盤の一側に固設され、回転盤には周方向に沿って複数の固定子鉄心載置溝１８６１および固定子鉄心載置溝の数が等しいハーネス制限部品が設置され、ハーネス制限部品は固定子鉄心載置溝に１対１対応し、ハーネス制限部品にはハーネス固定クランプが設置されている。
【０１２０】
ハーネス制限部品はハーネス載置溝またはハーネス巻線ロッドであることが好ましく、使用する前に、まずハーネスをハーネス固定溝に載置しまたはハーネス巻線ロッドに巻き付け、ハーネス固定クランプを使用して溶接しようとするハーネス先端の位置を固定し、次に、可動グリッパまたは可動クランプ爪などを採用して、波形の検出が完了したワークを回転盤における固定子載置溝に入れ溶接する。溶接精度が高く、溶接効率を向上させる。
【０１２１】
図１２に示すように、固定子ハウジング射出成形機は２つの射出成形金型１９１および密封スライドレール１９３を含み、密封スライドレールは固定子ハウジング射出成形機の真下から通過し、２つの射出成形金型は密封スライドレールに摺接され、溶接機は密封スライドレールの一側に設置され、突き合わせ溶接機であることが好ましい。
【０１２２】
射出成形時間が長く、さらに準備時間が必要であるため、射出成形効率を大幅に低下させる。２つの射出成形金型を再利用することができ、待機時間を減少させ、製造効率を大幅に向上させる。
【０１２３】
各射出成形金型内にはいずれも４本の位置決めピン１９２が設置されていることが好ましく、４本の位置決めピンはプラスチック接続層における４つのねじボルトの位置に対応する。
【０１２４】
射出成形する際、１つの射出成形金型により射出成形し、もう１つの射出成形金型は予備素材の待機中であり、その際、まず金属導線が溶接された金属ナットをそのうち１本の位置決めピンに嵌装し、次にプラスチック接続層を載置し、プラスチック接続層の４つのねじボルトを４本の位置決めピンに嵌装させ、さらに配線し波形検出に合格した後の固定子鉄心を載置し、最後に反負荷側エンドカバーを載置し、次に、予備素材待機中の射出成形金型を突き合わせ溶接機のところに摺動するように移動し、反負荷側エンドカバーと金属導線の溶接を行い、素材準備が完了し、循環射出成形を待機する。代替案として、前もって金属ナット、金属導線および反負荷側エンドカバーを一体形成するように溶接することもできる。
【０１２５】
回転子鉄心射出成形機と回転軸供給装置はいずれも回転軸圧入装置の供給側に設置されている。
【０１２６】
回転子鉄心射出成形機は回転子内鉄心と回転子外鉄心を一体に射出成形する。
【０１２７】
図１３に示すように、回転軸供給装置２３０は同期ベルト２３１、制限バッフル２３２および歯車２３３を含む。同期ベルトは回転可能であり、同期ベルトは制限バッフルと平行且つ並列に設置され、同期ベルトと制限バッフルの間の間隔は回転軸圧入箇所の直径より小さいことが好ましく、同期ベルトの外面および制限バッフルにはいずれも噛合する歯車が設置され、同期ベルトの歯車と制限バッフルの歯車の間には回転軸載置切り欠きが形成されている。
【０１２８】
回転軸は図１３における右側から入って左側から排出され、即ち、右側は材料供給口であり、左側は材料排出口である。回転軸の負荷側部分の直径は負荷側端および回転軸圧入箇所の直径より小さい。そのため、回転軸の反負荷側端および回転軸圧入箇所は回転軸載置切り欠きの上方に位置し、回転軸の負荷側端は回転軸載置切り欠きの下方に位置する。同期ベルトの時計回りの回転に伴って、制限バッフルの位置を固定するため、回転軸を垂直姿勢で前へ付勢する。
【０１２９】
回転軸圧入装置２２０は、昇降押え板２２１、上圧入ヘッド２２２、下台座２２３、圧入高さ検出装置および電磁チャック２２５を含む。
【０１３０】
電磁チャックは、回転子鉄心射出成形機における射出成形された回転子鉄心を吸着して下台座の頂部に載置し、電磁チャックの頂部は機械的なアームに接続され、電磁チャックの底部中央には伸縮案内ロッドが設置され、ばね案内ロッドであることが好ましく、通常の場合、伸縮案内ロッドは伸びた状態である。
【０１３１】
下台座の頂部には電磁石２２３２が被嵌され、下台座は中空収容室２２３１を有し、下台座の底部はスライドレール２２６に摺接され高さを昇降することができ、下台座は回転軸供給装置の材料供給ポジションに摺動することができる。
【０１３２】
上圧入ヘッドの頂部は昇降押え板に着脱可能に接続され、ねじ山による接続であることが好ましい。上圧入ヘッドの底部にはソケットが設置され、ソケットは回転軸の反負荷側の外周に着装可能である。
【０１３３】
圧入高さ検出装置は、昇降押え板の下面に平行且つ並列に設置され、底部の高さが等しい２つの高度センサを含み、そのうち１つの高度センサは自体から回転軸の頂部までの距離を検出するのに用いられ、もう１つの高度センサは自体から内回転子の上面までの距離を検出するのに用いられる。
【０１３４】
上圧入ヘッドは中空ソケット２２２２であることが好ましく、ソケット内には位置決めネジ２２２１が設置され、位置決めネジの外周は上圧入ヘッドの中空室に螺合され、位置決めネジの底部は圧入平面である。位置決めネジの位置を調整することにより、さらに回転軸の圧入高さを調整することができる。
具体的な好ましい圧入方法は、下記のようなステップを含む。
【０１３５】
（ステップ１）
電磁チャックが機械的なアームに駆動され、回転子鉄心射出成形機のステーションに移動し、電磁チャックの高さが降下し、伸縮案内ロッドが回転子鉄心の内穴に入り、電磁チャックに電源が投入され、回転子鉄心を吸着し、下台座の上面に移動する。好ましくは、伸縮案内ロッドの伸びた長さが回転子鉄心の高さより大きいため、伸縮案内ロッドはまず下台座の中空収容室に入って案内し位置決めする。続いて、下台座における電磁石に電源が投入され、回転子鉄心を吸着する。同時に、電磁チャックの電源が切られ、下台座を離れる。
【０１３６】
（ステップ２）
下台座は回転子鉄心をともに回転軸供給装置の排出口の箇所まで摺動するように駆動し、回転軸の負荷側と接触し、その後、下台座の高さが上がり、回転軸の負荷側を回転子鉄心の内穴および下台座の中空収容室に入るようにする。
【０１３７】
（ステップ３）
下台座の高さが下がり上圧入ヘッドの真下に摺動し、上圧入ヘッドの高さが下がり、ソケットは回転軸の反負荷側の外周に嵌装され、上圧入ヘッドの高さが設定の高さに下がって、圧入を完了する。
【０１３８】
（ステップ４）
下台座は右または左へ高度センサーの真下に摺動し、２つの高度センサが作動し、２つの高度センサにより検出された高度差の値が圧入の高さである。圧入の高さが十分でない場合、高度センサーの検出値に基づき、下台座はステップ３を繰り返し、再度圧入作業を行う。
【０１３９】
以上、本発明の好ましい実施形態を詳しく説明したが、本発明は上記実施形態における具体的な細部に限定されず、本発明の技術的構想範囲内で、本発明の技術的解決手段に対し様々な等価変換を行うことができ、これらの等価変換はいずれも本発明の保護範囲に属する。
【符号の説明】
【０１４０】
図１〜図１３においって、
１００  固定子鉄心搬送ライン、
１０１  固定子鉄心プレス機、
１０２  帯状固定子鉄心、
１０３  枠、
１０４  巻線室、
１０５  固定子枠射出成形機、
１０６  マニピュレータ、
１１０  枠耐電圧検出工具、
１１１  昇降板、
１１２  金属インサート
１１３  耐電圧プローブ、
１１４  伸縮押え板、
１１５  耐電圧試験機、
１２０  ターミナル組立機、
１２１  ターミナル供給ビン、
１２２  横方向付勢ロッド、
１２３  縦方向付勢ロッド、
１２４  ターミナル、
１２５  摺動板、
１３０  巻線機、
１４０  ターミナル溶接装置、
１４１  はんだポット、
１４２  反転クランプ板、
１４３  可動クランプ爪、
１４４  クランプ切り込み、
１４５  制限バッフル、
１５０  ターミナル矯正装置、
１５１  昇降ブロック、
１５２  固定ソケット、
１５３  矯正スリーブ、
１５９  固定子巻線耐電圧検出装置、
１６０  固定子真円度接合装置、
１６１  Ｃ型溝治具、
１６１１  挿入穴、
１６２  弧形溝治具、
１６３  中心柱、
１６４  可動グリッパ、
１６５  伸縮側バッフル、
１７０  固定子真円度修正装置、
１７１  伸縮チャック、
１７２  伸縮位置決め柱、
１７３  中央位置決めクランプ爪、
１７３１  内位置決め面、
１７４  溶接ガン、
１８０  波形検出装置、
１８１  絶縁昇降板、
１８２  波形検出プローブ、
１８３  伸縮押出ロッド、
１８４  昇降位置決め柱、
１８５  配線装置、
１８６  回転盤、
１８６１  固定子鉄心載置溝、
１８７  ハーネス制限部品、
１８８  ハーネス固定クランプ、
１８９  はんだ付け装置、
１９０  固定子ハウジング射出成形機、
１９１  射出成形金型、
１９２  位置決めピン、
１９３  密封スライドレール、
１９４  はんだ付け装置、
２２０  回転軸圧入装置、
２２１  昇降押え板、
２２２  上圧入ヘッド、
２２２１  位置決めネジ、
２２２２  ソケット、
２２３  下台座、
２２３１  中空収容室、
２２３２  電磁石、
２２４  高度センサー、
２２５  電磁チャック、
２２５１  伸縮案内ロッド、
２２６  スライドレール、
２３０  回転軸供給装置、
２３１  同期ベルト、
２３２  制限バッフル、
２３３  歯車。
【０１４１】
図１４から図１７において、
１  反負荷側エンドカバー、
２  反負荷側軸受、
３  金属導線、
４  固定子、
５  プラスチックパッキン体、
６  金属ナット、
６１  水平端、
６１１  固定部、
６１２  金属ばね、
６１３  金属シート、
６２  垂直端、
６２１  ねじ穴、
７  金属ねじ、
８  負荷側エンドカバー、
８１  端面覆設部、
８２  エッジ曲げ部、
９  回転軸、
１０  負荷側軸受、
１１  回転子外鉄心、
１２  回転子内鉄心、
１３  磁性鋼、
１４  絶縁接続層。
【要約】電食防止用モータの自動生産ラインおよび電食防止用モータを提供する。
【解決手段】電食防止用モータは、固定子４、永久磁石回転子、プラスチックパッキン体５、反負荷側エンドカバー１、負荷側エンドカバー２、金属導線３、金属ナット６および金属ねじ７を含む。自動生産ラインは、固定子鉄心搬送ライン１００および固定子鉄心搬送ライン１００に沿って順に配置された固定子プレス機１０１、固定子枠射出成形機１０５、枠耐電圧検出工具１１０、ターミナル組立機１２０、巻線機１３０、ターミナル溶接装置１４０、ターミナル矯正装置１５０、固定子耐電圧検出装置１５９、固定子真円度接合装置１６０、固定子真円度修正装置１７０を含む固定子組立装置を含む。金属導線を通じて両側のエンドカバーを接続し、金属導線はプラスチックパッキン体に内蔵され、安全性が高い。同時に、金属導線は両側のエンドカバーに確実に電気的に接続され、軸受の電食防止性能に優れる。電食防止用モータにおけるモータを自動で組み立てることができ、自動化レベルが高く、人件費を削減し、また、モータ全体の効率が高く、原材料の利用率が高い。
【選択図】図１４【図１】
0006633260.tif 000002
【図２】
0006633260.tif 000003
【図３】
0006633260.tif 000004
【図４】
0006633260.tif 000005
【図５】
0006633260.tif 000006
【図６】
0006633260.tif 000007
【図７】
0006633260.tif 000008
【図８】
0006633260.tif 000009
【図９】
0006633260.tif 000010
【図１０】
0006633260.tif 000011
【図１１】
0006633260.tif 000012
【図１２】
0006633260.tif 000013
【図１３】
0006633260.tif 000014
【図１４】
0006633260.tif 000015
【図１５】
0006633260.tif 000016
【図１６】
0006633260.tif 000017
【図１７】
0006633260.tif 000018